(57)【要約】【課題】誤った取引処理が行われてしまうこと防止し得る貨幣処理装置を提供する。【解決手段】貨幣入出金機は、当該貨幣入出金機の処理を占有する指示を行うための複数の占有指示モジュール３００と、制御部と、を備える。占有指示モジュール３００は、占有ボタン１７と、占有ボタン１７が押されたことを検出するタッチセンサ３１０と、占有ボタン１７を振動させるための振動装置３２０と、を含む。制御部は、占有ボタン１７が押されたことがタッチセンサ３１０により検出された場合に、貨幣入出金機が占有状態になければ、押された占有ボタン１７を振動装置３２０により振動させる。【選択図】図３
2018116601.tif 000002
【特許請求の範囲】
【請求項１】
貨幣の入出金等の処理を行う貨幣処理装置において、
前記貨幣処理装置の処理を占有する指示を行うための複数の占有指示部と、
制御部と、を備え、
前記占有指示部は、
占有ボタンと、
前記占有ボタンが押されたことを検出する検出部と、
前記占有ボタンを振動させるための振動部と、を含み、
前記制御部は、前記占有ボタンが押されたことが前記検出部により検出された場合に、前記貨幣処理装置が占有状態になければ、押された前記占有ボタンを前記振動部により振動させる、
ことを特徴とする貨幣処理装置。
【請求項２】
前記制御部は、前記占有ボタンが押されたことが前記検出部により検出された場合に、前記貨幣処理装置が、押された前記占有ボタンを含む前記占有指示部の指示に基づく占有状態にあれば、押された前記占有ボタンを前記振動部により振動させる、
ことを特徴とする請求項１に記載の貨幣処理装置。
【請求項３】
貨幣の入出金等の処理を行う貨幣処理装置において、
前記貨幣処理装置の処理を占有する指示を行うための複数の占有指示部と、
制御部と、を備え、
前記占有指示部は、
占有ボタンと、
前記占有ボタンが押されたことを検出する検出部と、
前記占有ボタンを振動させるための振動部と、を含み、
前記制御部は、前記占有ボタンが押されたことが前記検出部により検出された場合に、前記貨幣処理装置が、押された前記占有ボタンを含む前記占有指示部以外の前記占有指示部の指示に基づく占有状態にあれば、押された前記占有ボタンを前記振動部により振動させる、
ことを特徴とする貨幣処理装置。
【請求項４】
前記制御部は、前記占有ボタンが押されたことが前記検出部により検出された場合に、前記貨幣処理装置が、押された前記占有ボタンを含む前記占有指示部の指示に基づく占有状態にあれば、押された前記占有ボタンを前記振動部により振動させない、
ことを特徴とする請求項３に記載の貨幣処理装置。
【請求項５】
前記制御部は、前記占有ボタンが押されたことが前記検出部により検出された場合に、前記貨幣処理装置が占有状態になければ、または、前記貨幣処理装置が、押された前記占有ボタンを含む前記占有指示部の指示に基づく占有状態にあれば、押された前記占有ボタンを前記振動部により第１の振動パターンで振動させ、前記貨幣処理装置が、押された前記占有ボタンを含む前記占有指示部以外の前記占有指示部の指示に基づく占有状態にあれば、押された前記占有ボタンを前記振動部により前記第１の振動パターンと異なる第２の振動パターンで振動させる、
ことを特徴とする請求項１ないし３の何れか一項に記載の貨幣処理装置。
【請求項６】
前記占有指示部は、ランプ部と、当該ランプ部を点灯させるための光源部と、をさらに含み、
前記制御部は、前記貨幣処理装置が占有状態にあるとき、その占有状態に対応する前記占有指示部の前記ランプ部を点灯させ、他の前記占有指示部の前記ランプ部を消灯または対応する前記占有指示部の前記ランプ部と異なる態様で点灯させる、
ことを特徴とする請求項１ないし５の何れか一項に記載の貨幣処理装置。
【請求項７】
前記検出部は、前記占有ボタンに重ねられ、透光性を有するタッチセンサを含み、
前記振動部は、前記タッチセンサに重ねられ、振動素子によって振動する振動板を含み、
前記振動板が前記光源部からの光によって前記タッチセンサおよび前記占有ボタンに向けて発光し、前記占有ボタンの少なくとも一部が前記ランプ部として点灯する、
ことを特徴とする請求項６に記載の貨幣処理装置。
【請求項８】
貨幣の入出金等の処理を行う貨幣処理装置において、
前記貨幣処理装置の処理を占有する指示を行うための複数の占有指示部と、
制御部と、を備え、
前記占有指示部は、
操作面より突出し、押されたときに前記操作面側に押し込まれる占有ボタンと、
前記占有ボタンが所定の押込位置まで押し込まれたときに、前記占有ボタンが押されたことを検出する検出部と、
前記押込位置への前記占有ボタンの押し込みを阻止する押込阻止部と、を含み、
前記制御部は、前記占有ボタンが押されたことが前記検出部により検出された場合に、押された前記占有ボタンを含む前記占有指示部以外の前記占有指示部において、前記押込阻止部を作動させる、
ことを特徴とする貨幣処理装置。
【請求項９】
前記占有指示部は、前記占有ボタンが前記押込位置から押される前の待機位置へ復帰するのを阻止する復帰阻止部をさらに含み、
前記制御部は、前記占有ボタンが押されたことが前記検出部により検出された場合に、押された前記占有ボタンを含む前記占有指示部において、前記復帰阻止部を作動させる、
ことを特徴とする請求項８に記載の貨幣処理装置。
【請求項１０】
前記占有指示部は、ランプ部と、当該ランプ部を点灯させるための光源部と、をさらに含み、
前記制御部は、前記貨幣処理装置が占有状態にあるとき、その占有状態に対応する前記占有指示部の前記ランプ部を点灯させ、他の前記占有指示部の前記ランプ部を消灯または対応する前記占有指示部の前記ランプ部と異なる態様で点灯させる、
ことを特徴とする請求項８または９に記載の貨幣処理装置。
【発明の詳細な説明】
【技術分野】
【０００１】
本発明は、貨幣の入出金等を行う貨幣処理装置に関する。
【背景技術】
【０００２】
銀行等の金融機関で用いられる貨幣処理装置の一つとして、窓口カウンタにて業務を行う２人のテラーの間に設置され、左右何れのテラーからも使用が可能な循環式紙幣入出金機が、たとえば、特許文献１に記載されている。
【０００３】
上記の循環式紙幣入出金機には、上面前側に、紙幣を出金する紙幣出金口部および紙幣を入金する紙幣入金口部が形成され、これら紙幣出金口部および紙幣入金口部の設置域の左右両側域に、左右いずれのテラーが入金処理または出金処理を占有するかを指示する占有ボタンがそれぞれ配置される。各占有ボタンには、それぞれランプが内蔵されており、各占有ボタンが操作されてその占有ボタンに対応するテラーの占有状態となることにより、その占有ボタンのランプが点灯する。
【先行技術文献】
【特許文献】
【０００４】
【特許文献１】特開２００４−１４５６００号公報
【発明の概要】
【発明が解決しようとする課題】
【０００５】
上記の循環式紙幣入出金機では、占有ボタンを目視しなければ占有状態の有無を確認することができない。
【０００６】
たとえば、テラーが操作に慣れた者である場合に、占有ボタンを見ることなしに押下し、そのまま占有ボタンを見ることなく入金、出金、計数等の取引処理に移るようなことも生じ得るが、このときに循環式紙幣入出金機が他方のテラーの占有状態にあった場合は、誤った取引処理が行われてしまうこととなる。
【０００７】
かかる課題に鑑み、本発明は、誤った取引処理が行われてしまうこと防止し得る貨幣処理装置を提供することを目的とする。
【課題を解決するための手段】
【０００８】
本発明の第１の態様は、貨幣の入出金等の処理を行う貨幣処理装置に関する。本態様に係る貨幣処理装置は、前記貨幣処理装置の処理を占有する指示を行うための複数の占有指示部と、制御部と、を備える。ここで、前記占有指示部は、占有ボタンと、前記占有ボタンが押されたことを検出する検出部と、前記占有ボタンを振動させるための振動部と、を含む。前記制御部は、前記占有ボタンが押されたことが前記検出部により検出された場合に、前記貨幣処理装置が占有状態になければ、押された前記占有ボタンを前記振動部により振動させる。
【０００９】
上記の構成によれば、操作者は、占有ボタンが振動したことを指で感じ取ることにより、貨幣処理装置を自身の占有状態にできたことを把握できる。
【００１０】
なお、本態様において、「前記貨幣処理装置の処理を占有する」とは、たとえば、占有前に複数の操作者から処理に関するコマンドを受け付けた状態にある場合や、占有後に複数の操作者から処理に関するコマンドを受け付けた場合に、占有対象の一の操作者によるコマンドの処理のみを実行し、他の操作者からのコマンドは無視するといった直接的な占有状態の他、一の操作者により処理が占有されていることを他の操作者に把握させて、他の操作者に処理のための操作を行わせないようにするといった間接的な占有状態をも広く含むものである。
【００１１】
本態様に係る貨幣処理装置において、前記制御部は、前記占有ボタンが押されたことが前記検出部により検出された場合に、前記貨幣処理装置が、押された前記占有ボタンを含む前記占有指示部の指示に基づく占有状態にあれば、押された前記占有ボタンを前記振動部により振動させるような構成とされ得る。
【００１２】
上記の構成によれば、操作者は、占有ボタンが振動したことを指で感じ取ることにより、既に貨幣処理装置が自身の占有状態にあることを把握できる。
【００１３】
本発明の第２の態様は、貨幣の入出金等の処理を行う貨幣処理装置に関する。本態様に係る貨幣処理装置は、前記貨幣処理装置の処理を占有する指示を行うための複数の占有指示部と、制御部と、を備える。ここで、前記占有指示部は、占有ボタンと、前記占有ボタンが押されたことを検出する検出部と、前記占有ボタンを振動させるための振動部と、を含む。前記制御部は、前記占有ボタンが押されたことが前記検出部により検出された場合に、前記貨幣処理装置が、押された前記占有ボタンを含む前記占有指示部以外の前記占有指示部の指示に基づく占有状態にあれば、押された前記占有ボタンを前記振動部により振動させる。
【００１４】
上記の構成によれば、操作者は、占有ボタンが振動したことを指で感じ取ることにより、貨幣処理装置が他の操作者の占有状態にあり、自身の占有状態にできなかったことを把握することができる。
【００１５】
本態様に係る貨幣処理装置において、前記制御部は、前記占有ボタンが押されたことが前記検出部により検出された場合に、前記貨幣処理装置が、押された前記占有ボタンを含む前記占有指示部の指示に基づく占有状態にあれば、押された前記占有ボタンを前記振動部により振動させないような構成とされ得る。
【００１６】
上記の構成によれば、操作者は、占有ボタンが振動しないことを指で感じ取ることにより、既に貨幣処理装置が自身の占有状態にあることを把握できる。
【００１７】
第１の態様または第２の態様に係る貨幣処理装置において、前記制御部は、前記占有ボタンが押されたことが前記検出部により検出された場合に、前記貨幣処理装置が占有状態になければ、または、前記貨幣処理装置が、押された前記占有ボタンを含む前記占有指示部の指示に基づく占有状態にあれば、押された前記占有ボタンを前記振動部により第１の振動パターンで振動させ、前記貨幣処理装置が、押された前記占有ボタンを含む前記占有指示部以外の前記占有指示部の指示に基づく占有状態にあれば、押された前記占有ボタンを前記振動部により前記第１の振動パターンと異なる第２の振動パターンで振動させるような構成とされ得る。
【００１８】
上記の構成によれば、操作者は、占有ボタンが第１の振動パターンで振動したことを指で感じ取ることにより、貨幣処理装置を自身の占有状態にできたこと、または、既に貨幣処理装置が自身の占有状態にあることを把握でき、占有ボタンが第２の振動パターンで振動したことを指で感じ取ることにより、貨幣処理装置が他のテラーの占有状態にあり、自身の占有状態にできなかったことを把握することができる。
【００１９】
第１の態様または第２の態様に係る貨幣処理装置において、前記占有指示部は、ランプ部と、当該ランプ部を点灯させるための光源部と、をさらに含み得る。この場合、前記制御部は、前記貨幣処理装置が占有状態にあるとき、その占有状態に対応する前記占有指示部の前記ランプ部を点灯させ、他の前記占有指示部の前記ランプ部を消灯または対応する前記占有指示部の前記ランプ部と異なる態様で点灯させる。
【００２０】
上記の構成によれば、操作者は、ランプ部の点灯状態を確認することによっても、貨幣処理装置を自身の占有状態にできたか否かを把握することができる。
【００２１】
上記のような構成とされた場合、貨幣処理装置は、さらに、前記検出部が、前記占有ボタンに重ねられ、透光性を有するタッチセンサを含み、前記振動部が、前記タッチセンサに重ねられ、振動素子によって振動する振動板を含み、前記振動板が前記光源部からの光によって前記タッチセンサおよび前記占有ボタンに向けて発光し、前記占有ボタンの少なくとも一部が前記ランプ部として点灯するような構成とされ得る。
【００２２】
このような構成とされると、振動板が発光体として利用されるので、占有ボタンの少なくとも一部であるランプ部を、その裏側から良好に照明して点灯させることができる。
【００２３】
本発明の第３の態様は、貨幣の入出金等の処理を行う貨幣処理装置に関する。本態様に係る貨幣処理装置は、前記貨幣処理装置の処理を占有する指示を行うための複数の占有指示部と、制御部と、を備える。ここで、前記占有指示部は、操作面より突出し、押されたときに前記操作面側に押し込まれる占有ボタンと、前記占有ボタンが所定の押込位置まで押し込まれたときに、前記占有ボタンが押されたことを検出する検出部と、前記押込位置への前記占有ボタンの押し込みを阻止する押込阻止部と、を含む。前記制御部は、前記占有ボタンが押されたことが前記検出部により検出された場合に、押された前記占有ボタンを含む前記占有指示部以外の前記占有指示部において、前記押込阻止部を作動させる。
【００２４】
上記の構成によれば、操作者は、占有ボタンを通常のように押し込めなかったことを指で感じ取ることにより、貨幣処理装置が他の操作者の占有状態にあり、自身の占有状態にできなかったことを把握することができる。
【００２５】
本態様に係る貨幣処理装置において、前記占有指示部は、前記占有ボタンが前記押込位置から押される前の待機位置へ復帰するのを阻止する復帰阻止部をさらに含み得る。この場合、前記制御部は、前記占有ボタンが押されたことが前記検出部により検出された場合に、押された前記占有ボタンを含む前記占有指示部において、前記復帰阻止部を作動させる。
【００２６】
上記の構成によれば、占有ボタンを押した操作者は、占有ボタンが待機位置まで戻ってこないことを指で感じ取ることにより、貨幣処理装置を自身の占有状態にできたことを把握できる。
【００２７】
本態様に係る貨幣処理装置において、前記占有指示部は、ランプ部と、当該ランプ部を点灯させるための光源部と、をさらに含み得る。この場合、前記制御部は、前記貨幣処理装置が占有状態にあるとき、その占有状態に対応する前記占有指示部の前記ランプ部を点灯させ、他の前記占有指示部の前記ランプ部を消灯または対応する前記占有指示部の前記ランプ部と異なる態様で点灯させる。
【００２８】
上記の構成によれば、操作者は、ランプ部の点灯状態を確認することによっても、貨幣処理装置を自身の占有状態にできたか否かを把握することができる。
【発明の効果】
【００２９】
本発明によれば、誤った取引処理が行われてしまうこと防止し得る貨幣処理装置を提供することができる。
【００３０】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００３１】
【図１】図１は、第１実施形態に係る、貨幣入出金機の構成を示す斜視図である。
【図２】図２は、第１実施形態に係る、貨幣入出金機の構成を示す概略図である。
【図３】図３は、第１実施形態に係る、占有指示モジュールの構成を示す分解斜視図である。
【図４】図４（ａ）および（ｂ）は、第１実施形態に係る、占有指示モジュールの縦断面図である。
【図５】図５は、第１実施形態に係る、貨幣入出金機の主たる構成を示すブロック図である。
【図６】図６（ａ）は、第１実施形態に係る、占有受付制御処理のフローチャートであり、図６（ｂ）は、第１実施形態に係る、ランプ点灯制御処理のフローチャートである。
【図７】図７は、第１実施形態に係る、メイン制御処理のフローチャートである。
【図８】図８（ａ）ないし（ｃ）は、それぞれ、第１実施形態に係る、待機画面、処理選択画面および処理開始画面の一例を示す図である。
【図９】図９は、変更例１に係る、占有受付制御処理のフローチャートである。
【図１０】図１０は、変更例２に係る、占有受付制御処理のフローチャートである。
【図１１】図１１は、第２実施形態に係る、貨幣入出金機の構成を示す斜視図である。
【図１２】図１２（ａ）は、第２実施形態に係る、占有ボタンが押される前の状態を示す占有指示モジュールの縦断面図であり、図１２（ｂ）は、第２実施形態に係る、占有ボタンが押された状態を示す占有指示モジュールの縦断面図である。
【図１３】図１３（ａ）は、第２実施形態に係る、占有ボタンが保留位置にロックされた状態を示す占有指示モジュールの縦断面図であり、図１３（ｂ）は、第２実施形態に係る、占有ボタンが待機位置にロックされた状態を示す占有指示モジュールの縦断面図である。
【図１４】図１４は、第２実施形態に係る、占有受付制御処理のフローチャートである。
【発明を実施するための形態】
【００３２】
以下、本発明の実施形態について、図面を参照して説明する。
【００３３】
＜第１実施形態＞
本発明の貨幣処理装置の第１実施形態である貨幣入出金機１Ａについて説明する。
【００３４】
本実施形態において、占有指示モジュール３００が、特許請求の範囲に記載の「占有指示部」に対応する。また、タッチセンサ３１０が、特許請求の範囲に記載の「検出部」に対応する。さらに、振動装置３２０が、特許請求の範囲に記載の「振動部」に対応する。さらに、光源装置３３０が、特許請求の範囲に記載の「光源部」に対応する。
【００３５】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。
【００３６】
図１は、第１実施形態に係る、貨幣入出金機１Ａの構成を示す斜視図である。図２は、第１実施形態に係る、貨幣入出金機１Ａの構成を示す概略図である。
【００３７】
貨幣入出金機１Ａは、銀行等の金融機関における窓口カウンタの内側であって窓口業務を行う２人のテラーの間に設置される。貨幣入出金機１Ａは、各テラーによって操作される上位端末２に通信ケーブル３を介して接続される。
【００３８】
貨幣入出金機１Ａは、外郭を構成する外装体１０内に、紙幣入出金ユニット１１と硬貨入出金ユニット１２とを備える。紙幣入出金ユニット１１は、外装体１０内の下側に設けられ、紙幣の入金処理、出金処理等を行う。硬貨入出金ユニット１２は、外装体１０内の上側に設けられ、硬貨の入金処理、出金処理等を行う。
【００３９】
図１を参照し、外装体１０は、左右方向の横幅よりも前後方向の奥行が長く、上下方向の高さが左右方向の横幅よりも高いほぼ直方体形状を有し、本体１０ａと、本体１０ａの前上部に設けられた外装カバー１０ｂと、本体１０ａの前面に設けられた扉体１０ｃとを含む。たとえば、外装カバー１０ｂは樹脂材料で形成され、本体１０ａおよび扉体１０ｃは金属材料で形成される。
【００４０】
外装カバー１０ｂには、上面に硬貨入出金口１３が形成され、前面に紙幣出金口１４が形成され、上面から前面にかけて湾曲する湾曲面に紙幣入金口１５が形成される。これら硬貨入出金口１３、紙幣出金口１４および紙幣入金口１５は、それぞれ、シャッター１３ａ、１４ａ、１５ａにより開閉される。
【００４１】
外装カバー１０ｂの後部には操作表示部１６が設けられる。操作表示部１６は、前方斜め上方を向くように外装カバー１０ｂに固定される。操作表示部１６は、ディスプレイとタッチセンサとからなるタッチパネルで構成される。操作表示部１６は、ディスプレイに各種の画像（画面）を表示するとともに、ディスプレイに対するユーザのタッチ操作をタッチセンサにより検出する。
【００４２】
外装カバー１０ｂの上面における硬貨入出金口１３の両側の領域には、４つの占有ボタン１７が設けられる。４つの占有ボタン１７は、前側の左右にそれぞれ設けられた左紙幣占有ボタン１７ａおよび右紙幣占有ボタン１７ｂと、後側の左右にそれぞれ設けられた左硬貨占有ボタン１７ｃおよび右硬貨占有ボタン１７ｄとを含む。左紙幣占有ボタン１７ａおよび右紙幣占有ボタン１７ｂは、それぞれ、左側および右側のテラーが貨幣入出金機１Ａの紙幣に係る取引処理の占有を指示するために用いられる。同様に、左硬貨占有ボタン１７ｃおよび右硬貨占有ボタン１７ｄは、それぞれ、左側および右側のテラーが貨幣入出金機１Ａの硬貨に係る取引処理の占有を指示するために用いられる。
【００４３】
図２を参照し、紙幣入出金ユニット１１は、入金部１１０と、出金部１２０と、リジェクト部１３０と、搬送部１４０と、識別部１５０と、紙幣揃え部１６０と、２つのカセット１７０と、カセット１７０用の２つの一時保留部１８０と、３つのスタッカ１９０と、スタッカ１９０用の３つ一時保留部２００と、を備える。
【００４４】
入金部１１０、出金部１２０およびリジェクト部１３０は、外装体１０内の上部の正面近傍に設けられる。入金部１１０は紙幣入金口１５に繋がり、紙幣入金口１５を通じて入金部１１０にバラ状態の紙幣が投入される。出金部１２０およびリジェクト部１３０は紙幣出金口１４に繋がり、紙幣出金口１４を通じて出金部１２０およびリジェクト部１３０からバラ状態の紙幣が取り出される。
【００４５】
入金部１１０は、入金繰出機構１１１を備える。入金繰出機構１１１は、入金部１１０に投入された紙幣を一枚ずつ搬送部１４０へ繰り出す。出金部１２０は、主に、スタッカ１９０から繰り出された紙幣を受け取る。リジェクト部１３０は、主に、識別部１５０により属性（真偽、金種、表裏等）が識別できず、正常な紙幣と見做されない紙幣を受け取る。
【００４６】
搬送部１４０は、ベルト機構、ローラー機構等により構成され、メイン搬送路１４１と、入金搬送路１４２と、出金搬送路１４３と、リジェクト搬送路１４４と、２つのカセット搬送路１４５と、３つのスタッカ搬送路１４６とを含む。メイン搬送路１４１は、外装体１０内を前後方向に延びるようにループ状に形成され、図２において、時計回り方向（実線矢印）と反時計回り方向（破線矢印）に紙幣を搬送することが可能である。
【００４７】
入金搬送路１４２は、入金部１１０とメイン搬送路１４１との間に設けられる。出金搬送路１４３は、出金部１２０とメイン搬送路１４１との間に設けられる。リジェクト搬送路１４４は、リジェクト部１３０とメイン搬送路１４１との間に設けられる。カセット搬送路１４５は、カセット１７０および一時保留部１８０とメイン搬送路１４１との間に設けられる。スタッカ搬送路１４６は、スタッカ１９０および一時保留部２００とメイン搬送路１４１との間に設けられる。
【００４８】
識別部１５０は、メイン搬送路１４１の上側のループの後部に設けられる。識別部１５０は、搬送部１４０を流れる紙幣の属性を識別し、識別結果を後述する制御部に出力する。識別される属性には、紙幣の真偽、金種、紙幣の表裏の向きなどが含まれる。また、識別部１５０は紙幣を計数する。
【００４９】
紙幣揃え部１６０は、搬送部１４０を流れる紙幣の表裏の向きを揃えるために設けられる。紙幣揃え部１６０は、識別部１５０の前方、即ち、識別部１５０よりも出金時の紙幣の流れの下流側に配置される。紙幣揃え部１６０は、メイン搬送路１４１の一部を構成する反転部１６１および非反転部１６２を含む。反転部１６１は、スイッチバック方式により紙幣を表裏反転させる反転機構を含む。反転部１６１を通過した紙幣は、紙幣の短手方向、即ち天地方向に沿って表裏反転し、表裏および天地の向きが入れ替わる。非反転部１６２は、反転部１６１とほぼ同じ経路長を有し、紙幣を現状の向きのまま通過させる。たとえば、識別部１５０での識別の結果、表向きと識別された紙幣が非反転部１６２を通過し、裏向きと識別された紙幣が反転部１６１を通過することにより、紙幣の向きが表向きに揃えられる。
【００５０】
２つのカセット１７０と３つのスタッカ１９０は、外装体１０内において、搬送部１４０の下方に、前後に並ぶように設けられる。２つのカセット１７０が３つのスタッカ１９０の前方に設けられる。カセット１７０およびスタッカ１９０は、扉体１０ｃを開放することにより、外装体１０内に対して出し入れすることができる。
【００５１】
カセット１７０は、主に、スタッカ１９０から回収された紙幣やスタッカ１９０へ補充される紙幣を収納するために利用される。また、カセット１７０は、スタッカ１９０内の紙幣の自動精査を行う自動精査処理の際、紙幣を一時的に収納するために利用される。一方のカセット１７０を、２千円券、旧券、損券等の収納に利用することもできる。カセット１７０内には、紙幣が上下に積まれるように収納される。収納された紙幣を昇降するため、カセット１７０内に昇降ステージ１７０ａが設けられる。
【００５２】
カセット１７０用の一時保留部１８０は、対応するカセット１７０の上方に配置される。一時保留部１８０は、カセット１７０に収納される紙幣を一時的に保留（収納）する。一時保留部１８０の出入口側には繰出機構（図示せず）が設けられ、カセット１７０内の紙幣を、一時保留部１８０を通じてカセット搬送路１４５に繰り出すことができる。
【００５３】
スタッカ１９０は、入金された紙幣を金種別に収納するために利用される。たとえば、３つのスタッカ１９０のそれぞれに対し、一万円、千円および５千円の金種が割り当てられ得る。スタッカ１９０内には、紙幣が上下に積まれるように収納される。収納された紙幣を昇降するため、スタッカ１９０内に昇降ステージ１９０ａが設けられる。
【００５４】
スタッカ１９０用の一時保留部２００は、対応するスタッカ１９０の上方に配置される。一時保留部２００は、スタッカ１９０に収納される紙幣を一時的に保留（収納）する。一時保留部２００の出入口側には繰出機構（図示せず）が設けられ、スタッカ１９０内の紙幣を、一時保留部２００を通じてスタッカ搬送路１４６に繰り出すことができる。
【００５５】
紙幣の入金処理の際には、紙幣入金口１５を通じて入金部１１０に投入された紙幣が、搬送部１４０により搬送されるとともに識別部１５０で識別され、正常と識別された紙幣が、金種毎に、対応する一時保留部２００に一時的に保留される。そして、確定操作がなされると一時保留部２００内の紙幣が対応するスタッカ１９０内に収納される。なお、正常でないと識別された紙幣は、リジェクト部１３０に戻される。
【００５６】
また、紙幣の出金処理の際には、出金操作により指定された金額の紙幣が、スタッカ１９０内から繰り出されて搬送部１４０により搬送され、その途中に紙幣揃え部１６０で表裏の向きが揃えられて出金部１２０に払い出される。出金部１２０の紙幣は、紙幣出金口１４を通じて取り出される。
【００５７】
硬貨入出金ユニット１２は、図示しない硬貨搬送部、硬貨識別部、複数の金種別硬貨収納投出部などを備える。硬貨の入金処理の際には、硬貨入出金口１３から投入された硬貨が、硬貨搬送部により搬送されるとともに硬貨識別部で識別され、正常と識別された硬貨が、金種毎に、対応する金種別硬貨収納投出部に収納される。また、硬貨の出金処理の際には、出金操作により指定された金額の硬貨が金種別硬貨収納投出部から投出され、硬貨搬送部により搬送されて硬貨入出金口１３に払い出される。
【００５８】
各占有ボタン１７は、それぞれ、対応する占有指示モジュール３００の一部を構成する。占有指示モジュール３００は、テラーが占有ボタン１７を押すことによって貨幣入出金機１Ａの処理を占有する指示を行うために設けられる。以下、占有指示モジュール３００の構成について説明する。
【００５９】
図３は、第１実施形態に係る、占有指示モジュール３００の構成を示す分解斜視図である。図４（ａ）および（ｂ）は、第１実施形態に係る、占有指示モジュール３００の縦断面図であり、図４（ａ）は、図３の矢印Ａ方向から見た縦断面図であり、図４（ｂ）は、図３の矢印Ｂ方向から見た縦断面図である。なお、図３では、便宜上、外装カバー１０ｂおよびフィルムシート１８の一部が四角形状に切り取られた状態で示されている。
【００６０】
占有指示モジュール３００は、占有ボタン１７の他、タッチセンサ３１０と、振動装置３２０と、光源装置３３０と、ブラケット３４０とを含む。
【００６１】
占有ボタン１７は、外装カバー１０ｂを覆うフィルムシート１８の一部を円形に窪ませることにより形成される。占有ボタン１７の外周部には、透光性を有する円環状のランプ部１９が形成される。占有ボタン１７は、外装カバー１０ｂに形成された円形の開口部１０ｂ１に嵌め込まれ、その裏面が外装カバー１０ｂの裏側に露出する。
【００６２】
外装カバー１０ｂの裏側には、開口部１０ｂ１の周囲に凹部１０ｂ２が形成され、その凹部１０ｂ２にタッチセンサ３１０が収容される。タッチセンサ３１０は、シート状を有し、占有ボタン１７の裏面に接触した状態で重ねられる。タッチセンサ３１０は、たとえば、静電容量式のタッチセンサであり、指等が占有ボタン１７に触れたこと検出することにより、占有ボタン１７が押されたことを検出する。
【００６３】
振動装置３２０は、振動板３２１と、２つの振動素子３２２とを含む。振動板３２１は、透明な材料により形成され、その上部がタッチセンサ３１０と同じ大きさでその下部が上部よりも一回り大きな形状を有する。振動板３２１の上面がタッチセンサ３１０の裏面に接触した状態で重なる。振動板３２１の下面の両側に各振動素子３２２が取り付けられる。振動素子３２２は、たとえば、圧電素子である。
【００６４】
振動装置３２０では、２つの振動素子３２２が振動することによって振動板３２１が振動する。振動板３２１の振動がタッチセンサ３１０を介して占有ボタン１７に伝わり、占有ボタン１７が振動する。
【００６５】
光源装置３３０は、複数（たとえば、４個）のＬＥＤ素子３３１と、これらＬＥＤ素子３３１が実装されるＬＥＤ基板３３２とを含む。ＬＥＤ素子３３１は、振動板３２１の下部の側面に沿うように並び、振動板３２１の内部に向けて発光する。振動板３２１の下面には、一面に細かな凹凸が形成されており、ＬＥＤ素子３３１から発せられた光がこれらの凹凸で乱反射することにより、振動板３２１の下面全体がタッチセンサ３１０および占有ボタン１７に向かって発光する。これにより、占有ボタン１７のランプ部１９が点灯する。
【００６６】
振動装置３２０および光源装置３３０は、ブラケット３４０によって保持される。ブラケット３４０は、外装カバー１０ｂの裏面に固定される。振動装置３２０の振動板３２１とブラケット３４０の間には、ゴム等からなる４つの防振部材３４１が介在しており、振動装置３２０の振動がブラケット３４０を通じて外装カバー１０ｂに伝わり難くなるようになされている。
【００６７】
図５は、第１実施形態に係る、貨幣入出金機１Ａの主たる構成を示すブロック図である。
【００６８】
貨幣入出金機１Ａは、上述した紙幣入出金ユニット１１、硬貨入出金ユニット１２、操作表示部１６、占有指示モジュール３００の他、制御部２１および記憶部２２を備える。
【００６９】
制御部２１は、ＣＰＵ（Central Processing Unit）等の演算回路を備え、記憶部２２に記憶された動作プログラムに従って、操作表示部１６、占有指示モジュール３００（タッチセンサ３１０、振動装置３２０、光源装置３３０）、紙幣入出金ユニット１１の各構成部（入金繰出機構１１１、搬送部１４０、識別部１５０、紙幣揃え部１６０、カセット１７０、一時保留部１８０、スタッカ１９０、一時保留部２００等）および硬貨入出金ユニット１２の各構成部を制御する。記憶部２２は、ＲＯＭ（Read Only Memory）、ＲＡＭ（Random Access Memory）やハードディスク等の記憶媒体を備え、制御部２１の動作プログラムを記憶し、また、制御部２１の制御処理の際にワーク領域として利用される。
【００７０】
さて、貨幣入出金機１Ａの左右両側にいるテラーは、その貨幣入出金機１Ａを使用して入金処理、出金処理、計数処理などの取引処理を行うことができる。計数処理には、貨幣（紙幣、硬貨）の枚数を単純に計測する単純計数処理と、貨幣の枚数を計測するとともに同じ金種の貨幣を所定枚数単位にまとめる整理計数処理とが含まれる。各テラーは、自身の側に設けられた占有ボタン１７、左側のテラーであれば左紙幣占有ボタン１７ａまたは左硬貨占有ボタン１７ｃ、右側のテラーであれば右紙幣占有ボタン１７ｂまたは右硬貨占有ボタン１７ｄを押して貨幣入出金機１Ａの処理を占有する指示を行った後に、操作表示部１６上で所定の操作を行って自身の取引処理を実行する。
【００７１】
何れかの占有ボタン１７が押されたことによって占有操作が受け付けられた場合、押された占有ボタン１７が振動する。また、押された占有ボタン１７のランプ部１９が点灯した状態となり、その他の占有ボタン１７のランプ部１９が消灯した状態となる。
【００７２】
なお、取引処理が入金処理または出金処理である場合には、占有ボタン１７が押される前あるいは押された後に、上位端末２において金額等の入力を含む入金操作または出金操作が行われる。入金操作または出金操作に基づいて、上位端末２から貨幣入出金機１Ａへ入金コマンドまたは出金コマンドが送信される。また、取引処理が計数処理である場合には、占有ボタン１７が押された後に、操作表示部１６上で単純計数処理または整理計数処理の何れを行うかの選択が行われる。この選択は、上位端末２でも行うことができ、この場合は、単純計数コマンドまたは整理計数コマンドが、上位端末２から貨幣入出金機１Ａへ送信される。
【００７３】
以下、占有ボタン１７による占有操作を受け付けるための占有受付制御処理、占有ボタン１７のランプ部１９の点灯制御を行うためのランプ点灯制御処理、および、貨幣入出金機１Ａが取引処理を行うためのメイン制御処理について説明する。これら占有受付制御処理、ランプ点灯制御処理およびメイン制御処理は、制御部２１によって並行して実行される。
【００７４】
図６（ａ）は、第１実施形態に係る、占有受付制御処理のフローチャートであり、図６（ｂ）は、第１実施形態に係る、ランプ点灯制御処理のフローチャートである。図７は、第１実施形態に係る、メイン制御処理のフローチャートである。図８（ａ）ないし（ｃ）は、それぞれ、第１実施形態に係る、待機画面Ｓ１、処理選択画面Ｓ２および処理開始画面Ｓ３の一例を示す図である。
【００７５】
まず、図６（ａ）を参照し、占有受付制御処理について説明する。
【００７６】
制御部２１は、何れかの占有ボタン１７が押されたか否かを監視する（Ｓ１０１）。何れかの占有ボタン１７が押されると（Ｓ１０１：ＹＥＳ）、制御部２１は、既に占有設定がなされ、貨幣入出金機１Ａが占有状態にあるか否かを判定する（Ｓ１０２）。貨幣入出金機１Ａが未だ占有状態にない場合（Ｓ１０２：ＮＯ）、制御部２１は、押された占有ボタン１７による占有操作を受け付ける（Ｓ１０３）。そして、制御部２１は、押された占有ボタン１７に対応する振動装置３２０を作動させ、その占有ボタン１７を振動させる（Ｓ１０４）。その後、制御部２１は、Ｓ１０１の処理に戻って、占有ボタン１７の監視を継続する。なお、占有操作が受け付けられた場合は、後述するメイン制御処理において占有設定がなされ、貨幣入出金機１Ａが占有状態となる。
【００７７】
一方、占有ボタン１７が押されたときに貨幣入出金機１Ａが既に占有状態にある場合（Ｓ１０２：ＹＥＳ）、制御部２１は、押された占有ボタン１７による占有操作を無効とする（Ｓ１０５）。そして、制御部２１は、振動装置３２０を作動させることなくＳ１０１の処理に戻り、占有ボタン１７の監視を継続する。
【００７８】
こうして、テラーは、占有ボタン１７を押したときに占有ボタン１７が振動したか否かを指で感じ取ることにより、今回押した占有ボタン１７による占有操作が受け付けられたか否か、即ち、貨幣入出金機１Ａを自身の占有状態にできたか否かを把握することができる。
【００７９】
次に、図６（ｂ）を参照し、ランプ点灯制御処理について説明する。
【００８０】
制御部２１は、まず、全ての占有ボタン１７に対応する光源装置３３０を作動させ、全ての占有ボタン１７のランプ部１９を点灯させる（Ｓ２０１）。次に、制御部２１は、何れかの占有ボタン１７による占有設定がなされたか否かを監視する（Ｓ２０２）。占有設定がなされると（Ｓ２０２：ＹＥＳ）、制御部２１は、その占有設定のために押されなかった占有ボタン１７に対応する光源装置３３０を停止して、それらの占有ボタン１７のランプ部１９を消灯させる（Ｓ２０３）。押された占有ボタン１７のランプ部１９は、引き続き点灯したままとなる。
【００８１】
その後、制御部２１は、占有設定が解除されたか否かを監視する（Ｓ２０４）。後述するメイン制御処理において、占有状態で実行された取引処理が完了すると、占有設定が解除される。占有設定が解除されると（Ｓ２０４：ＹＥＳ）、制御部２１は、Ｓ２０１の処理に戻り、再び、全ての占有ボタン１７のランプ部１９を点灯させる。
【００８２】
こうして、テラーは、占有ボタン１７のランプ部１９の点灯状態を確認することにより、貨幣入出金機１Ａが、何れの占有ボタン１７による占有状態にあるかを把握することができる。
【００８３】
なお、Ｓ２０３では、占有設定のために押されなかった占有ボタン１７のランプ部１９を消灯させたが、占有設定のために押された占有ボタン１７のランプ部１９と異なる色で点灯させるようにしてもよい、この場合、光源装置３３０は、複数色の発光が可能な構成とされる。あるいは、押されなかった占有ボタン１７のランプ部１９の点滅させるようにしてもよい。
【００８４】
次に、図７および図８（ａ）ないし（ｃ）を参照し、メイン制御処理について説明する。
【００８５】
貨幣入出金機１Ａが待機状態にあるとき、制御部２１は、操作表示部１６に待機画面Ｓ１を表示させる（Ｓ３０１）。図８（ａ）に示すように、待機画面Ｓ１には、たとえば、貨幣入出金機１Ａが保有する紙幣および硬貨の数量を金種毎に示す保有量画像Ｐ１が含まれる。制御部２１は、待機画面Ｓ１が表示された状態において、占有ボタン１７による占有操作が受け付けられたか否かを監視する（Ｓ３０２）。占有操作は、上述した占有受付制御処理のＳ１０３で受け付けられる。
【００８６】
占有操作が受け付けられた場合（Ｓ３０２：ＹＥＳ）、制御部２１は、占有設定を行う（Ｓ３０３）。
【００８７】
占有設定が行われると、占有操作を行ったテラーが貨幣入出金機１Ａの取引処理を占有する状態となる。こうなると、占有前に左右双方のテラーの上位端末２から取引処理に関するコマンドを受け付けた状態にある場合や、占有後に左右双方のテラーの上位端末２から取引処理に関するコマンドを受け付けた場合に、占有対象のテラーの上位端末２によるコマンドの取引処理のみが実行され、他のテラーの上位端末２からのコマンドは無視されることとなる。
【００８８】
その後、制御部２１は、取引処理を開始するためのコマンド（入金コマンド、出金コマンド、単純計数コマンド、整理計数コマンド）を上位端末２から既に受信しているか否かを判定する（Ｓ３０４）。未だコマンドを受信していない場合（Ｓ３０４：ＮＯ）、制御部２１は、操作表示部１６に処理選択画面Ｓ２を表示させる（Ｓ３０５）。処理選択画面Ｓ２は、単純計数処理を行うか整理計数処理を行うかを選択するための画面である。図８（ｂ）に示すように、たとえば、処理選択画面Ｓ２には、単純計数処理を選択するための単純計数ボタンＢ１と、整理計数処理を選択するための整理計数ボタンＢ２とが含まれる。また、処理選択画面Ｓ２には、取消操作のためのクリアボタンＢ３と、左右何れのテラーの占有状態であるかを示す占有者表示Ｄ１が含まれる。このように、占有者表示Ｄ１により占有対象のテラーを知らせることで、そのテラーにより取引処理が占有されていることを他のテラーに把握させることができ、他のテラーに取引処理のための操作を行わせないようにすることができる。
【００８９】
上位端末２からコマンドが受信されると（Ｓ３０６：ＹＥＳ）、あるいは、処理選択画面Ｓ２において単純計数ボタンＢ１または整理計数ボタンＢ２の何れかによる選択操作がなされると（Ｓ３０７：ＹＥＳ）、制御部２１は、操作表示部１６に処理開始画面Ｓ３を表示させる（Ｓ３０８）。また、Ｓ３０４で既にコマンドを受信していると判定した場合も（Ｓ３０４：ＹＥＳ）、制御部２１は、操作表示部１６に処理開始画面Ｓ３を表示させる（Ｓ３０８）。図８（ｃ）には、整理計数処理の処理開始画面Ｓ３が例示されている。処理開始画面Ｓ３は、取引処理に応じた画面構成とされ得るが、何れの取引処理の処理開始画面Ｓ３にも、占有者表示Ｄ１、クリアボタンＢ３および開始操作のためのスタートボタンＢ４が含まれる。
【００９０】
処理開始画面Ｓ３上において開始操作がなされると（Ｓ３０９：ＹＥＳ）、制御部２１は、取引処理を実行する（Ｓ３１０）。
【００９１】
たとえば、取引処理が紙幣の整理計数処理の場合、開始操作の前に入金部１１０にセットされた紙幣が、入金部１１０から一枚ずつ繰り出され、一番に繰り出された金種または予め指定された金種の紙幣について、その紙幣の枚数が計側されるとともに、その紙幣がその金種に対応する一時保留部２００に保留される。一方で、整理対象の金種でない紙幣は、リジェクト部１３０へと送られる。一時保留部２００に所定枚数（たとえば、１００枚）の紙幣が保留されると、入金部１１０からの繰り出しが中断され、一時保留部２００内の紙幣が、その表裏の向きが揃えられた状態で出金部１２０に投出される。出金部１２０から紙幣が抜き取られると、入金部１１０からの紙幣の繰り出しが再開される。このようにして、同じ金種の紙幣が所定枚数にまとめられて、順次、出金部１２０に投出される。一時保留部２００内に所定枚数の紙幣が保留される前に入金部１１０に紙幣がなくなれば、保留されていた分の紙幣が最後に出金部１２０に投出され、これら紙幣が抜き取られると、整理計数処理が完了する。
【００９２】
取引処理が完了すると、制御部２１は占有設定を解除する（Ｓ３１１）。また、取引処理が行われず、処理選択画面Ｓ２上において取消操作がなされたとき（Ｓ３１２：ＹＥＳ）および処理開始画面Ｓ３上において取消操作がなされたとき（Ｓ３１３：ＹＥＳ）も、制御部２１は占有設定を解除する（Ｓ３１１）。そして、制御部２１は、Ｓ３０１の処理に戻って、操作表示部１６の画面を待機画面Ｓ１に戻す。
【００９３】
＜第１実施形態の効果＞
本実施形態によれば、以下の効果が奏され得る。
【００９４】
テラー（操作者）は、占有ボタン１７を押したときに占有ボタン１７が振動したか否かを指で感じ取ることにより、貨幣入出金機１Ａを自身の占有状態にできたか否かを把握することができる。これにより、テラーが、占有ボタン１７を目視していない場合であっても、自身の占有状態でないにもかかわらず、貨幣入出金機１Ａにより、誤って自身の取引処理を行ってしまうことを防止できる。
【００９５】
また、テラーは、占有ボタン１７のランプ部１９の点灯状態を確認することによっても、貨幣入出金機１Ａを自身の占有状態にできたか否かを把握することができる。
【００９６】
さらに、占有ボタン１７の裏側に位置する振動装置３２０の振動板３２１を発光体として利用するようにしたので、占有ボタン１７の一部に形成したランプ部１９を、その裏側から良好に照明して点灯させることができる。
【００９７】
さらに、貨幣入出金機１Ａが占有状態になると、操作表示部１６の表示が自動的に待機画面Ｓ１から取引処理のための画面である処理選択画面Ｓ２や処理開始画面Ｓ３に遷移するので、テラーは、占有ボタン１７を押した後、待機画面Ｓ１上で画面を遷移させる操作を行う必要がなく、貨幣入出金機１Ａの操作性が良くなる。
【００９８】
＜第１実施形態の変更例１＞
図９は、変更例１に係る、占有受付制御処理のフローチャートである。
【００９９】
図９に示すように、本変更例では、制御部２１は、押された占有ボタン１７による占有操作を受け付けた後（Ｓ１０３）、その占有ボタン１７を振動させない。替わって、制御部２１は、占有ボタン１７が押されたときに貨幣入出金機１Ａが既に占有状態にある場合（Ｓ１０２：ＹＥＳ）、占有操作を無効にした後（Ｓ１０５）、その占有状態が他の占有ボタン１７によるものであれば（Ｓ１１０：ＹＥＳ）、押された占有ボタン１７を振動させる（Ｓ１１１）。
【０１００】
本変更例の構成によれば、テラーは、占有ボタン１７を押したときに占有ボタン１７が振動したことを指で感じ取ることにより、貨幣入出金機１Ａが他方のテラーの占有状態にあり、自身の占有状態にできなかったことを把握することができる。これにより、上記第１実施形態と同様、テラーが、自身の占有状態でないにもかかわらず、貨幣入出金機１Ａにより、誤って自身の取引処理を行ってしまうことを防止できる。
【０１０１】
さらに、本変更例の構成によれば、テラーは、占有ボタンが振動しないことを指で感じ取ることにより、既に貨幣入出金機１Ａが自身の占有状態にあることを把握できる。
【０１０２】
＜第１実施形態の変更例２＞
図１０は、変更例２に係る、占有受付制御処理のフローチャートである。
【０１０３】
図１０に示すように、本変更例では、制御部２１は、押された占有ボタン１７による占有操作を受け付けた後（Ｓ１０３）、その占有ボタン１７を第１の振動パターンで振動させる（Ｓ１２１）。さらに、制御部２１は、貨幣入出金機１Ａが既に占有状態にある場合（Ｓ１０２：ＹＥＳ）、占有操作を無効にした後（Ｓ１０５）、その占有状態が他の占有ボタン１７によるものであれば（Ｓ１２２：ＹＥＳ）、押された占有ボタン１７を第１の振動パターンと異なる第２の振動パターンで振動させる（Ｓ１２３）。一方、その占有状態がその占有ボタン１７によるものであった場合（Ｓ１２２：ＮＯ）、制御部２１は、その占有ボタン１７を第１の振動パターンで振動させる（Ｓ１２１）。
【０１０４】
なお、たとえば、第１の振動パターンは、占有ボタン１７を連続的に振動させるパターンとすることができ、第２の振動パターンは、占有ボタン１７を間欠的に振動させるパターンとすることができる。
【０１０５】
本変更例の構成によれば、テラーは、占有ボタン１７が第１の振動パターンで振動したことを指で感じ取ることにより、貨幣入出金機１Ａを自身の占有状態にできたこと、または、既に貨幣入出金機１Ａが自身の占有状態にあることを把握することができ、占有ボタン１７が第２の振動パターンで振動したことを指で感じ取ることにより、貨幣入出金機１Ａが他方のテラーの占有状態にあり、自身の占有状態にできなかったことを把握することができる。これにより、上記第１実施形態と同様、テラーが、自身の占有状態でないにもかかわらず、貨幣入出金機１Ａにより、誤って自身の取引処理を行ってしまうことを防止できる。
【０１０６】
しかも、貨幣入出金機１Ａを占有状態にできたか否かに関わらず、占有ボタン１７が正常に押された場合、即ち、タッチセンサ３１０による検出が行われた場合は占有ボタン１７が振動するので、テラーは、占有ボタン１７を正常に押されたかった場合との区別がつきやすい。
【０１０７】
＜第２実施形態＞
本発明の貨幣処理装置の第２実施形態である貨幣入出金機１Ｂについて説明する。
【０１０８】
本実施形態において、外装カバー１０ｂが、特許請求の範囲に記載の「操作面」に対応する。また、占有指示モジュール４００が、特許請求の範囲に記載の「占有指示部」に対応する。さらに、タクトスイッチ４１０が、特許請求の範囲に記載の「検出部」に対応する。さらに、ＬＥＤ素子４１１が、特許請求の範囲に記載の「光源部」に対応する。さらに、第１ソレノイド４３０が、特許請求の範囲に記載の「押込阻止部」に対応する。さらに、第２ソレノイド４４０が、特許請求の範囲に記載の「復帰阻止部」に対応する。
【０１０９】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。
【０１１０】
図１１は、第２実施形態に係る、貨幣入出金機１Ｂの構成を示す斜視図である。図１２（ａ）は、第２実施形態に係る、占有ボタン２３が押される前の状態を示す占有指示モジュール４００の縦断面図であり、図１２（ｂ）は、第２実施形態に係る、占有ボタン２３が押された状態を示す占有指示モジュール４００の縦断面図である。図１３（ａ）は、第２実施形態に係る、占有ボタン２３が保留位置Ｌ３にロックされた状態を示す占有指示モジュール４００の縦断面図であり、図１３（ｂ）は、第２実施形態に係る、占有ボタン２３が待機位置Ｌ１にロックされた状態を示す占有指示モジュール４００の縦断面図である。
【０１１１】
本実施形態の貨幣入出金機１Ｂでは、外装カバー１０ｂに、第１実施形態の占有ボタン１７と異なる構成の占有ボタン２３が設けられる。４つの占有ボタン２３は、前側の左右にそれぞれ設けられた左紙幣占有ボタン２３ａおよび右紙幣占有ボタン２３ｂと、後側の左右にそれぞれ設けられた左硬貨占有ボタン２３ｃおよび右硬貨占有ボタン２３ｄとを含む。各占有ボタン２３は、それぞれ、対応する占有指示モジュール４００の一部を構成する。なお、本実施形態の貨幣入出金機１Ｂにおけるその他の構成は、上記第１実施形態の貨幣入出金機１Ａの構成と同様である。
【０１１２】
図１２（ａ）ないし図１３（ｂ）を参照し、占有指示モジュール４００は、占有ボタン２３の他、タクトスイッチ４１０と、スプリング４２０と、第１ソレノイド４３０と、第２ソレノイド４４０と、ブラケット４５０とを含む。
【０１１３】
占有ボタン２３は、透光性を有する材料によってほぼ方形状に形成され、押されていない状態で、操作面である外装カバー１０ｂから突出する。占有ボタン２３には、一方の側面の下部に第１ロック孔２３ａ１が形成され、他方の側面の第１ロック孔２３ａ１より高い位置に第２ロック孔２３ｂ１が形成される。第１ロック孔２３ａ１の上側は、奥方から開口端に向かって孔を拡げるような傾斜面２３ａ２を有する。また、第２ロック孔２３ｂ１の下側は、奥方から開口端に向かって孔を拡げるような傾斜面２３ｂ２を有する。
【０１１４】
タクトスイッチ４１０と、スプリング４２０と、第１ソレノイド４３０と、第２ソレノイド４４０とがブラケット４５０内に配置される。ブラケット４５０は、外装カバー１０ｂの裏面に固定される。
【０１１５】
タクトスイッチ４１０は、占有ボタン２３の下方に位置する。タクトスイッチ４１０には、ＬＥＤ素子４１１が内蔵されている。スプリング４２０は、占有ボタン２３を上下方向に弾性的に保持する。占有ボタン２３が下方に押されると、スプリング４２０が縮んで占有ボタン２３が待機位置Ｌ１からブラケット３５０内に押し込まれる。図１２（ｂ）のように、占有ボタン２３が押込位置Ｌ２まで押し込まれると、占有ボタン２３の下面がタクトスイッチ４１０のスイッチ部４１２に当接し、スイッチ部４１２が下方に押し込まれる。これにより、タクトスイッチ４１０は、占有ボタン２３が押されたことを検出する。また、ＬＥＤ素子４１１が発光すると、占有ボタン２３全体が照明され、占有ボタン２３全体がランプ部として点灯する。
【０１１６】
第１ソレノイド４３０は、占有ボタン２３の一方の側面側に位置し、第１ロック孔２３ａ１に挿入可能な第１プランジャー４３１を有する。また、第２ソレノイド４４０は、占有ボタン２３の他方の側面側に位置し、第２ロック孔２３ｂ１に挿入可能な第２プランジャー４４１を有する。
【０１１７】
図１３（ａ）に示すように、押された占有ボタン２３は、タクトスイッチ４１０を押した直後は、押込位置Ｌ２よりもやや高い位置を取り、第２ロック孔２３ｂ１の位置が、第２ソレノイド４４０の位置とほぼ同じとなる。よって、この状態で、第２ソレノイド４４０が作動し第２プランジャー４４１が突出すると、突出した第２プランジャー４４１が第２ロック孔２３ｂ１に挿入され、占有ボタン２３がこの位置にロックされる。このとき、占有ボタン２３は、その天面が外装カバー１０ｂの表面とほぼ面一となる。以下、このときの占有ボタン２３のロック位置を保留位置Ｌ３と称する。
【０１１８】
なお、第２プランジャー４４１が突出したときに、占有ボタン２３が保留位置Ｌ３より少し高い位置まで移動している場合がある。このような場合、第２プランジャー４４１が第２ロック孔２３ｂ１の傾斜面２３ｂ２に当たり傾斜面２３ｂ２に沿って孔の奥へと円滑に移動する。この第２プランジャー４４１の移動に伴って、占有ボタン２３が保留位置Ｌ３まで押し下げられる。
【０１１９】
第２ソレノイド４４０が停止され、第２プランジャー４４１が第２ロック孔２３ｂ１から離脱すると、第２ソレノイド４４０による占有ボタン２３のロックが解除される。
【０１２０】
図１３（ｂ）に示すように、押されていない占有ボタン２３は、待機位置Ｌ１にあり、このとき、第１ロック孔２３ａ１の位置が、第１ソレノイド４３０の位置とほぼ同じとなる。よって、この状態で、第１ソレノイド４３０が作動し第１プランジャー４３１が突出すると、突出した第１プランジャー４３１が第１ロック孔２３ａ１に挿入され、占有ボタン２３が待機位置Ｌ１にロックされる。
【０１２１】
なお、占有ボタン２３の戻りが悪く、待機位置Ｌ１に復帰していない状態で第１プランジャー４３１が突出するような状況が生じても、第１プランジャー４３１が第１ロック孔２３ａ１の傾斜面２３ａ２に当たり傾斜面２３ａ２に沿って孔の奥へと円滑に移動する、この第１プランジャー４３１の移動に伴って、占有ボタン２３が待機位置Ｌ１まで押し上げられる。
【０１２２】
第１ソレノイド４３０が停止され、第１プランジャー４３１が第１ロック孔２３ａ１から離脱すると、第１ソレノイド４３０による占有ボタン２３のロックが解除される。
【０１２３】
本実施形態では、第１実施形態の占有受付制御処理と異なる占有受付制御処理が実行される。以下、本実施形態の占有受付制御処理について説明する。
【０１２４】
図１４は、第２実施形態に係る、占有受付制御処理のフローチャートである。
【０１２５】
制御部２１は、何れかの占有ボタン２３が押されたか否かを監視する（Ｓ４０１）。何れかの占有ボタン２３が押されると（Ｓ４０１：ＹＥＳ）、制御部２１は、押された占有ボタン１７による占有操作を受け付ける（Ｓ４０２）。そして、制御部２１は、第２ソレノイド４４０を作動させ、押された占有ボタン２３を保留位置Ｌ３にロックさせる（Ｓ４０３）。さらに、制御部２１は、第１ソレノイド４３０を作動させ、押されていない占有ボタン２３を待機位置Ｌ１にロックさせる（Ｓ４０４）。こうして、押された占有ボタン２３は、保留位置Ｌ３に留まり、待機位置Ｌ１まで復帰しなくなる。さらに、押されていない占有ボタン２３は、待機位置Ｌ１に固定され、下方に押し込めなくなる。
【０１２６】
占有ボタン２３を押したテラーは、占有ボタン２３が待機位置Ｌ１まで戻ってこないことを指で感じ取ることにより、貨幣入出金機１Ａを自身の占有状態にできたことを把握できる。
【０１２７】
Ｓ４０２において占有操作が受け付けられると、メイン制御処理で占有設定がなされ、貨幣入出金機１Ｂが占有ボタン２３を押したテラーの占有状態となる。一方のテラーの占有状態にあるとき、他方のテラーが、自身の占有を指示するための占有ボタン１７を押してもその占有ボタン１７を押しこむことができなくなる。これにより、他方のテラーは、貨幣入出金機１Ｂが一方のテラーの占有状態にあり、自身の占有状態にできなかったことを把握することができる。
【０１２８】
なお、２人のテラーが、ほぼ同時にそれぞれに対応する占有ボタン２３を押した場合、占有状態にできた占有ボタン２３は待機位置Ｌ１に復帰せず、占有状態にできなかった占有ボタン２３は待機位置Ｌ１に復帰する。よって、このように２つの占有ボタン２３がほぼ同時に押された場合にも、２人のテラーは、押された占有ボタン２３が待機位置Ｌ１に復帰するか否かにより、自身の占有状態となったか否かを良好に把握できる。
【０１２９】
貨幣入出金機１Ｂが占有状態になると、制御部２１は、占有設定が解除されたか否かを監視する（Ｓ４０５）。メイン制御処理において、占有状態で実行された取引処理が完了すると、占有設定が解除される。占有設定が解除されると（Ｓ４０５：ＹＥＳ）、制御部２１は、全ての占有ボタン２３のロックを解除する（Ｓ４０６）。そして、制御部２１は、Ｓ４０１の処理に戻り、再び、占有ボタン２３の監視を行う。
【０１３０】
なお、本実施形態においても、上記第１実施形態と同様のランプ点灯制御処理が実行される。これにより、貨幣入出金機１Ｂが占有状態にない場合、全ての占有ボタン２３が点灯し、何れかの占有ボタン２３が押されて占有状態になると、押されていない占有ボタン２３が消灯する。
【０１３１】
さらに、本実施形態においても、上記第１実施形態と同様のメイン制御処理が実行される。これにより、貨幣入出金機１Ｂが占有状態になると、操作表示部１６の表示が自動的に待機画面Ｓ１から取引処理のための画面である処理選択画面Ｓ２や処理開始画面Ｓ３に遷移する。
【０１３２】
＜第２実施形態の効果＞
本実施形態によれば、第１実施形態と同様、テラー（操作者）が、自身の占有状態でないにもかかわらず、貨幣入出金機１Ｂにより、誤って自身の取引処理を行ってしまうことを防止できる。
【０１３３】
また、第１実施形態と同様、テラーは、占有ボタン２３の点灯状態を確認することによっても、貨幣入出金機１Ｂを自身の占有状態にできたか否かを把握することができる。
【０１３４】
さらに、第１実施形態と同様、テラーは、占有ボタン２３を押した後、待機画面Ｓ１上で画面を遷移させる操作を行う必要がなく、貨幣入出金機１Ｂの操作性が良くなる。
【０１３５】
＜その他の変更例＞
上記第１実施形態および上記変更例１において、振動装置３２０の振動パターンを、複数の振動パターンの中から選択できるようにしてもよい。同様に、上記変更例２において、複数の振動パターンの中から、第１の振動パターンとなるものおよび第２の振動パターンとなるものを選択できるようにしてもよい。
【０１３６】
また、上記第１実施形態では、貨幣入出金機１Ａが占有状態にない場合、全ての占有ボタン１７のランプ部１９を点灯させ、何れかの占有ボタン１７が押されて占有状態になると、押されていない占有ボタン１７のランプ部１９が消灯された。しかしながら、貨幣入出金機１Ａが占有状態にない場合には、全ての占有ボタン１７のランプ部１９を消灯状態とし、何れかの占有ボタン１７が押されて占有状態になったときに、押された占有ボタン１７のランプ部１９を点灯させるようにしてもよい。同様に、上記第２実施形態において、貨幣入出金機１Ｂが占有状態にない場合には、全ての占有ボタン２３を消灯状態とし、何れかの占有ボタン２３が押されて占有状態になったときに、押された占有ボタン２３を点灯させるようにしてもよい。
【０１３７】
さらに、上記第１実施形態において、何れかの占有ボタン１７が押されて占有状態になったときに、押された占有ボタン１７のランプ部１９を、占有状態となる前の色とは異なる色で点灯させる、あるいは点滅させるようにしてもよい。同様に、上記第２実施形態において、何れかの占有ボタン２３が押されて占有状態になったときに、押された占有ボタン２３を、占有状態となる前の色とは異なる色で点灯させる、あるいは点滅させるようにしてもよい。
【０１３８】
さらに、上記第１実施形態では、振動板３２１の下面の両側に各振動素子３２２が取り付けられるが、振動素子３２２が取り付けられる箇所は、振動板３２１の下面の両側に限られず、振動板３２１に振動素子３２２が直接取り付けられていればよい。この場合、振動板３２１が振動素子３２２によって直接振動させられるため、たとえば、振動板３２１が曲面形状で形成されている場合であっても、振動板３２１を効率的に振動させることができる。
【０１３９】
さらに、上記第１実施形態では、左紙幣占有ボタン１７ａおよび右紙幣占有ボタン１７ｂの形状と、左硬貨占有ボタン１７ｃおよび右硬貨占有ボタン１７ｄの形状とが同じであるが、これらの形状を異ならせてもよい。たとえば、左紙幣占有ボタン１７ａおよび右紙幣占有ボタン１７ｂが四角形状に形成され、左硬貨占有ボタン１７ｃおよび右硬貨占有ボタン１７ｄが円形状に形成されてもよい。同様に、第２実施形態において、左紙幣占有ボタン２３ａおよび右紙幣占有ボタン２３ｂの形状と、左硬貨占有ボタン２３ｃおよび右硬貨占有ボタン２３ｄの形状が異なるものとされてもよい。
【０１４０】
さらに、上記第２実施形態の占有指示モジュール４００において、占有ボタン２３の第２ロック孔２３ｂ１と第２ソレノイド４４０とが設けられない構成が採られてもよい。この場合、図１４の占有受付制御処理では、Ｓ４０３の処理が行われず、押された占有ボタン２３は、待機位置Ｌ１に復帰する。この占有ボタン２３は、引き続き押し込める状態となるが、この占有ボタン２３が占有状態のときに押されても、その操作は無効とされる。
【０１４１】
さらに、上記第１実施形態では、占有操作が受け付けられた場合、押された占有ボタン１７が振動するが、既に占有操作が受け付けられ、貨幣入出金機１Ａが占有状態にある場合には、その占有状態がその占有ボタン１７によるものであっても、その占有ボタンは振動しない。しかしながら、貨幣入出金機１Ａが占有状態にある場合に、その占有状態とした占有ボタン１７が押された場合は、その占有ボタン１７を振動させるようにしてもよい。たとえば、左側のテラーの占有状態でさらに、左紙幣占有ボタン１７ａまたは左硬貨占有ボタン１７ｃが押された場合には、再度押された占有ボタン１７が振動するようにしてもよい。この場合、図６（ａ）のＳ１０５の処理の後に、図９のＳ１１０の処理が行われる。そして、Ｓ１１０でＮＯの判定が行われた場合、図６（ａ）のＳ１０４の処理へと移行する。このようにすれば、テラーは、占有ボタン１７が振動したことを指で感じ取ることにより、既に貨幣入出金機１Ａが自身の占有状態にあることを把握できる。
【０１４２】
さらに、上記第１実施形態および上記第２実施形態では、紙幣入出金ユニット１１および硬貨入出金ユニット１２を備える貨幣入出金機１Ａ、１Ｂが、本発明の貨幣処理装置の一例として挙げられた。しかしながら、本発明は、紙幣入出金ユニット１１のみを備える紙幣入出金機や硬貨入出金ユニット１２のみを備える硬貨入出金機など、その他の貨幣処理装置に適用することもできる。
【０１４３】
この他、本発明の実施形態は、特許請求の範囲に記載の範囲で適宜変更可能である。
【符号の説明】
【０１４４】
１Ａ  貨幣入出金機（貨幣処理装置）
１Ｂ  貨幣入出金機（貨幣処理装置）
１０ｂ  外装カバー（操作面）
１７  占有ボタン
１９  ランプ部
２１  制御部
２３  占有ボタン（ランプ部）
３００  占有指示モジュール（占有指示部）
３１０  タッチセンサ（検出部）
３２０  振動装置（振動部）
３２１  振動板
３２２  振動素子
３３０  光源装置（光源部）
４００  占有指示モジュール（占有指示部）
４１０  タクトスイッチ（検出部）
４１１  ＬＥＤ素子（光源部）
４３０  第１ソレノイド（押込阻止部）
４４０  第２ソレノイド（復帰阻止部）
【図１】
2018116601.tif 000003
【図２】
2018116601.tif 000004
【図３】
2018116601.tif 000005
【図４】
2018116601.tif 000006
【図５】
2018116601.tif 000007
【図６】
2018116601.tif 000008
【図７】
2018116601.tif 000009
【図８】
2018116601.tif 000010
【図９】
2018116601.tif 000011
【図１０】
2018116601.tif 000012
【図１１】
2018116601.tif 000013
【図１２】
2018116601.tif 000014
【図１３】
2018116601.tif 000015
【図１４】
2018116601.tif 000016